(57)【要約】【課題】無線端末の規模を増やすことなく通信品質を向上可能な通信システムを提供する。【解決手段】送信権レジスタ５を設け、送信権レジスタ＝１の時は無線端末８と通信を行って受信データを通信サーバ６に送信し、送信権レジスタ＝０の時は他の無線装置１と無線端末８の通信を受信して受信バッファに記憶する。【選択図】  図１
2004349753.tif 000002
【特許請求の範囲】
【請求項１】
無線端末と、通信サーバと、該通信サーバに接続され上記無線端末と通信可能な第１及び第２の無線装置とを有する通信システムにおける通信方法であって、
上記第１及び第２の無線装置は、無線端末から送信されるデータ信号をそれぞれ受信して受信データを保持し、
上記通信サーバは、
上記第１の無線装置が受信したデータ信号が所定の受信状態を満たす場合には、上記第１の無線装置が上記無線端末から受信する受信データを受信し、
上記第１の無線装置が受信した受信データが所定の受信状態を満たさない場合には、上記第２の無線装置が保持する、該所定の受信状態を満たさない受信データに対応する受信データを受信することを特徴とする通信方法。
【請求項２】
請求項１記載の通信方法であって、上記第１及び第２の無線装置の何れを介して上記無線端末から送信されるデータ信号を受信するかを選択して該選択した無線装置に送信権を設定し、
上記送信権が上記第１の無線装置に設定されている場合には上記第１の無線装置から上記受信データを受信し、上記第一の無線装置が受信した受信データが所定の受信状態を満たさない場合には、上記第１の無線装置に設定された送信権を解除し上記第２の無線装置に送信権を設定することを特徴とする通信方法。
【請求項３】
請求項１記載の通信方法であって、上記受信状態は、該受信データのエラーに基づいて判断されることを特徴とする通信方法。
【請求項４】
請求項１記載の通信方法であって、上記受信状態は、該受信データの受信電力に基づいて判断されること特徴とする通信方法。
【請求項５】
請求項１記載の通信方法であって、上記第１及び第２の無線装置は上記無線端末との間の通信状態をそれぞれ上記通信サーバに報告し、上記通信サーバは該報告された通信状態に基づいて上記第１及び第２の無線装置の何れかに上記送信権を設定することを特徴とする通信方法。
【請求項６】
請求項５記載の通信方法であって、上記通信状態は、上記受信データの受信状態に基づくものであることを特徴とする通信方法。
【請求項７】
上記請求項２記載の通信システムにおいて、上記通信サーバは、上記第１の無線装置が受信した受信データが所定の受信状態を満たさずかつデータの再送指示回数が規定回数以内ならば、上記無線端末にエラー報告を行いデータを再送するように指示し、データの再送指示回数が規定回数以上の場合には、上記第２の無線装置が保持する、該所定の受信状態を満たさない受信データに対応する受信データを受信を特徴とする通信方法。
【請求項８】
無線端末と、通信サーバと、該通信サーバに接続され上記無線端末と通信可能な複数の無線装置とを有する通信システムにおける無線装置であって、
上記無線端末からデータ信号を受信するアンテナと、
上記無線端末から受信されるデータ信号を保持する受信バッファと、
上記無線端末から受信されるデータ信号を上記通信サーバへ転送すべきことを示す送信権の情報を保持する送信権レジスタとを有し、
上記送信権レジスタが、該無線装置が送信権を有することを示す場合は、上記無線端末からデータ信号を受信して、該受信されるデータ信号を上記通信サーバへ転送し、
上記送信権レジスタが、該無線装置が送信権を有することを示さない場合は、上記無線端末からデータ信号を受信して、該受信されるデータ信号を上記受信バッファに記憶し、その後に上記送信権レジスタに上記送信権が設定された場合には上記記憶されたデータ信号を上記通信サーバへ転送することを特徴とする無線装置。
【請求項９】
請求項８記載の無線装置であって、上記無線端末からの信号の受信状態を判定し、該受信状態を上記通信サーバに報告することを特徴とする無線装置。
【請求項１０】
請求項９記載の無線装置であって、上記受信状態は、上記受信されたデータ信号のエラーの有無を示すものであることを特徴とする無線装置。
【請求項１１】
請求項１０記載の無線装置であって、上記送信権レジスタが、該無線装置が送信権を有することを示し、かつ、上記受信されたデータ信号にエラーがある場合に該受信状態を上記通信サーバに報告することを特徴とする無線装置。
【請求項１２】
請求項９記載の無線装置であって、上記受信状態は、上記無線端末からの信号の受信電力であることを特徴とする無線装置。
【請求項１３】
無線端末と、通信サーバと、該通信サーバに接続され上記無線端末と通信可能で、上記無線端末からのデータを該通信サーバに転送しない場合でも該データを受信して保持する第１及び第２の無線装置とを有する通信システムにおける通信サーバであって、
上記第１及び第２の無線装置のうち少なくとも何れかの無線装置から、該無線装置が転送する上記無線端末からの受信データを受信する受信データ記憶メモリと、
上記第１及び第２の無線装置のいずれから受信データの転送を受信するかを示す送信権を決定する送信権決定部とを有し、
上記送信権決定部が上記第１の無線装置に送信権を設定することを決定した場合には、上記第１の無線装置には送信権を与えることを伝達し、上記第２の無線装置には送信権を与えないことを伝達し、上記第１の無線装置から受信される受信データを上記無線端末からの受信データとして上記受信データ記憶メモリに記憶することを特徴とする通信サーバ。
【請求項１４】
請求項１３記載の通信サーバであって、
上記送信権を設定した第１の無線装置が上記無線端末から受信した受信データが所定の受信状態を満たさない場合には、上記第２の無線装置が保持する、該所定の受信状態を満たさない受信データに対応する受信データを受信して、上記無線端末からの受信データとして上記受信データ記憶メモリに記憶することを特徴とする通信サーバ。
【請求項１５】
請求項１４記載の通信サーバであって、
上記第１の無線装置が上記無線端末から受信した受信データが所定の受信状態を満たさないことを、上記第１の無線装置からの報告により判断することを特徴とする通信サーバ。
【請求項１６】
請求項１４記載の通信サーバであって、上記受信状態は、該受信データのエラーまたは外需新データの受信電力に基づいて判断されることを特徴とする通信サーバ。
【請求項１７】
請求項１４記載の通信サーバであって、
上記送信権決定部は、上記送信権を設定した第１の無線装置が上記無線端末から受信した受信データが所定の受信状態を満たさない場合には、上記第１の無線装置には送信権を与えないことを伝達し、上記第２の無線装置には送信権を与えることを伝達し、該伝達後は上記第２の無線装置から受信データを受信し、該受信データを上記無線端末からの受信データとして上記受信データ記憶メモリに記憶することを特徴とする通信サーバ。
【請求項１８】
請求項１３記載の通信サーバであって、
上記第１及び第２の無線装置から、それぞれの無線端末における上記無線端末との間の通信状態情報を受信し、
上記送信権決定部は、上記受信された各無線装置における通信状態情報に基づいて上記送信権の設定を決定することを特徴とする通信サーバ。
【発明の詳細な説明】
【０００１】
【発明の属する技術分野】
本発明は、移動する無線端末と無線基地局間で通信を行う通信方法に係わり、特に、無線端末からのデータ受信の信頼性を向上させる通信方法に関する。
【０００２】
【従来の技術】
通常、無線を用いた通信システムは、無線端末、無線端末と通信を行う無線基地局、無線基地局を制御する通信サーバから構成される。
【０００３】
無線を用いた通信では、電波遮断や他の無線機器との干渉や、使用する周波数の衝突などにより無線通信状態が悪化し、無線端末と無線基地局の間で通信出来ない状態になる場合がある。
【０００４】
このような状態が発生した場合、通信サーバは、他の無線基地局に指示を与えて無線端末との通信を確立し、新たな通信経路を確保することで無線通信障害から回復していた。このような通信サーバによる無線基地局の切換はハンドオフと呼ばれている。
【０００５】
ハンドオフは通信サーバが無線端末と無線基地局の間で通信障害が発生したことを検出してから他の無線基地局への切換を行うため、通信サーバの切換処理中は通信遮断が発生する。このような通信の遮断による通信品質の低下を防ぐものとして、特許文献１に次のような無線端末が開示されている。
【０００６】
特許文献１に開示される無線端末は、通信を行っている無線基地局からの受信電力が低下した時、他の無線基地局と通信を行って受信電力の大きい無線基地局と通信を開始する。この時無線端末は同時に２つの無線基地局と通信を続けて、通信の遮断を回避し、通信品質の低下を防いでいる。
【０００７】
またこの無線端末は、同時に２つの無線基地局と通信中にいずれかの無線基地局の受信電力が充分に大きくなった時は、受信電力の低い方の無線基地局と通信を切断し、受信電力の弱かった無線基地局を開放して、他の無線端末と通信が出来るようにしている。
【０００８】
このように従来の技術では、無線通信の状態によって、無線端末が２つの無線基地局と同時に通信を行うことで、ハンドオフ時に発生する無線通信の遮断を回避している。また無線端末は、無線通信状態が回復した場合には受信レベルの低い方の無線基地局との通信を切断し、回線を解放する。
【０００９】
【特許文献１】特開平６−４５９９０号公報
【発明が解決しようとする課題】
従来の技術では、無線端末は、無線基地局との無線通信状態が悪化してから、他の無線基地局と通信を行い、受信電力の大きい無線基地局を検索しているため、無線基地局の数が多いと検索中に通信遮断が発生し、通信品質が低下する。
【００１０】
また従来の技術では、無線端末は、無線基地局との無線通信が悪化状態にある時に、複数の無線基地局と二重通信を行わなければならないため、制御が複雑になり回路規模やサイズ、消費電力が増加して無線端末の可搬性が低下する。
【００１１】
また従来の技術では、無線基地局と無線端末間の通信品質を向上させようとした場合、信頼性を高めるためには通信の三重化、四重化が必要となり、無線端末の制御負荷が更に増大するため、容易に通信回線の信頼性を向上させることが出来ない。
【００１２】
本発明の目的は、無線端末と無線基地局間の通信状態が悪化した場合でも、他の無線基地局の数に関係なく、通信状態の良い無線基地局に切り換えることが出来る通信方法を提案することにある。
【００１３】
また本発明の他の目的は、無線端末の可搬性を低下させることなく、通信状態の良い無線基地局に切り換えることが出来る通信方法を提案することにある。
【００１４】
また本発明の他の目的は、無線端末の可搬性を低下させることなく、容易に通信回線の信頼性を向上させる通信方法を提案することにある。
【００１５】
【課題を解決するための手段】
上記の目的を達成するために、本発明では、無線端末と、通信サーバと、該通信サーバに接続され上記無線端末と通信可能な第１及び第２の無線装置とを有する通信システムにおける通信方法であって、上記第１及び第２の無線装置は、無線端末から送信されるデータ信号をそれぞれ受信してデータを一定期間保持し、上記通信サーバは、上記第１の無線装置が受信したデータ信号にエラーが無い場合には、上記第１の無線装置が受信するデータ信号のデータを受信し、上記第１の無線装置が受信したデータ信号にエラーが有る場合には、上記第２の無線装置が保持するそのタイミングに対応するデータを受信し、また、上記第１の無線装置が受信したデータ信号にエラーが有る場合には、それ以降に受信するデータ信号に対しては上記第１と第２の無線装置の役割が入れ替わる事を特徴とした。
【００１６】
また本発明では、第１〜第３の無線装置は、無線端末から送信されるデータ信号をそれぞれ受信してデータを一定期間保持し、上記第１〜第３の無線装置は、上記データ信号の受信状態（受信電力、ＳＮ比など）を表す情報を所定の時間ごとに上記通信サーバに送信し、上記通信サーバは、上記第１の無線装置の受信状態がよい場合には、上記第１の無線装置が受信するデータ信号のデータを受信し、上記第１の無線装置の受信状態が良くない場合には、上記第２もしくは第３の無線装置のうち受信状態の良い方が保持するそのタイミングに対応するデータを受信し、また、上記第１の無線装置の受信状態が良くない場合にはそれ以降に受信するデータ信号に対しては上記第１無線装置と上記第２もしくは第３の無線装置のうち受信状態の良い方の役割が入れ替わる事を第２の特徴とした。
【００１７】
【発明の実施の形態】
図１は本発明による通信方法を用いた第１の実施形態である無線システムを示す図である。図１において、１は通信サーバ６の制御下にあり無線端末８と無線通信を行う無線装置。２は無線端末８からの受信データを記憶する受信バッファ。５は通信サーバ６によって設定される送信権レジスタである。送信権レジスタには、複数の無線装置のうちいずれが無線端末８と通信サーバ６との間のデータの送受信を仲介するかを示す情報が保持される。すなわち、無線端末８からの受信状態がより良い無線装置に送信権が与えられ、送信権を持つ無線装置が無線端末８から受信したデータが通信サーバ６へ送信され、また、送信権を持つ無線装置が通信サーバ６から受信したデータが該無線装置から無線端末８へ送信される。７は無線装置１と通信サーバ６を接続するネットワークである。１０は無線端末１から送られてくる受信データを記憶する受信データ記憶メモリである。１１は、いずれの無線装置に送信権を設定するかを決定する送信権決定部である。
【００１８】
図２は無線装置１の受信動作を示す図である。例えば無線端末８のデータを受信し、通信サーバ６にデータを転送する場合（Ｓ２０１）、無線装置１は送信権レジスタ５を参照し（Ｓ２０２）、送信権レジスタ５が１のとき、すなわちその無線装置が送信権を有するときは受信バッファ２を参照し通信サーバ６に転送されていない保留データがあるか調べる（Ｓ２０３）。保留データがあった場合は通信サーバ６にデータを転送し（Ｓ２０９）、無線端末８にレスポンスとしてデータを送信する（Ｓ２１０）。通信サーバ６に転送されていない保留データが無い場合は（Ｓ２０３）、無線端末８からのデータを受信する（Ｓ２０４）。受信したデータにエラーがない場合は（Ｓ２０５）、通信サーバ６にデータを転送し（Ｓ２０９）、無線端末８にレスポンスとしてデータを送信する（Ｓ２１０）。受信したデータにエラーがある場合は（Ｓ２０５）、通信サーバ６にエラーを報告し（Ｓ２０６）、受信したデータを破棄する（Ｓ２１１）。送信権レジスタ＝０の場合は（Ｓ２０２）、無線端末のデータを受信し（Ｓ２０７）、受信したデータにエラーがある場合は（Ｓ２０８）、データを破棄する（Ｓ２１１）。受信したデータにエラーがない場合は（Ｓ２０８）、受信バッファ２に受信したデータを記憶する（Ｓ２１２）。その後無線装置１は通信サーバ６から受信終了指示があるか確認し、無い場合は再び受信を開始する（Ｓ２１３）。通信サーバ６から受信終了指示がある場合は受信を終了する（Ｓ２１４）。
【００１９】
図３は通信サーバ６の受信動作を示す図である。例えば通信サーバ６が無線端末８のデータを受信する場合（Ｓ３０１）、通信サーバ６は無線端末８と通信可能な無線装置１ａと無線装置１ｂの送信権レジスタ５を設定する（Ｓ３０２）。いずれの無線装置に送信権を与えるかを決定するにあたっては、予め定められている優先順位に基づいて無線装置を選択しても良いし、事前に各無線装置と無線端末との間の通信品質（受信データの受信状態、又は、それ以外の信号の通信品質など）を報告させてこの通信品質に基づいて無線装置を選択しても良い。この時通信サーバ６はどちらか一方、例えば無線装置１ａには送信権レジスタ５を１に設定することを伝達し、他方の無線装置１ｂには送信権レジスタを０二設定することを伝達する。さらに通信サーバ６は無線装置１ａと無線装置１ｂに無線端末８との通信を指示する（Ｓ３０３）。無線装置１ａと無線装置１ｂは図２に則った動作を開始する。通信サーバ６は送信権が設定された無線装置１ａから発生するデータ転送要求の割込を監視する（Ｓ３０４）。割込が発生した場合、通信サーバ６は受信エラーをチェックし（Ｓ３０５）、受信エラーがない場合は無線端末８のデータを受信データ記憶メモリ１０に記憶し（Ｓ３０６）、通信サーバ６が更に受信をしたければ再び無線装置１ａからの割込を監視する。受信を終了したければ無線装置１ａと無線装置１ｂに受信終了を指示する（Ｓ３１０）。受信エラーがある場合は送信権レジスタ＝１の無線装置１ａの送信権レジスタ５を０にして送信権を解除し（Ｓ３０７）、送信権レジスタ＝０だった無線装置１ｂの送信権レジスタを１にし（Ｓ３０８）、無線装置１ｂからの割込を監視する。新たに送信権が設定された無線装置１ｂは、図２に説明で述べたように、それまで送信権が設定されていた無線装置１ａと同じデータを無線端末から受信して保留データとして保持しているので、そのデータを通信サーバに送信する（図２のＳ２０９）。こうして、無線装置１ｂからの送信されるデータが適切に受信されれば、無線装置１ａを介した送信が失敗した場合でも、そのデータは失われることなく、通信サーバ６は無線装置１ｂを介してデータ受信を行うことができる。
【００２０】
図４は無線システムの通信手順を説明する図である。例えば通信サーバ６が無線装置１ａと無線装置１ｂを用いて無線端末８からデータを受信する場合、通信サーバ６は無線装置１ａの送信権レジスタ５ａを１にし、無線装置１ｂの送信権レジスタ５ｂを０にし、受信を開始する（Ｔ４０１）。無線装置１ａは無線端末８と通信を行い（Ｔ４０２）、データを受信バッファ２ａに記憶する（Ｔ４０３）。この時無線装置１ｂは無線装置１ａと無線端末８の通信を受信し受信バッファ２ｂに記憶する（Ｔ４０４）。無線装置１ａは受信バッファ２ａのデータを通信サーバ６に転送し、通信サーバ６は受信したデータを受信データ記憶メモリ１０に記憶する（Ｔ４０５）。続けて無線装置１ａは無線端末８と通信を行い（Ｔ４０６）、データを受信バッファ２ａに記憶する（Ｔ４０７）。この時無線装置１ｂは無線装置１ａと無線端末８の通信を受信し受信バッファ２ｂに記憶する（Ｔ４０８）。無線装置１ａは受信バッファ２ａのデータにエラーがあることを検出し通信サーバ６に受信エラーが発生したことを報告する（Ｔ４０９）。通信サーバ６は受信エラーを確認し、無線装置１ａの送信権レジスタ５ａを０にし、無線装置１ｂの送信権レジスタ５ｂを１にする（Ｔ４１０）。無線装置１ｂは次のデータを受信する前に送信権レジスタが１になったことを検出し、受信バッファ２ｂに記憶しているデータを通信サーバ６に転送する（Ｔ４１１）。無線装置１ｂは無線端末８と通信を行い（Ｔ４１２）、データを受信バッファ２ｂに記憶する（Ｔ４１３）。この時無線装置１ａは無線装置１ｂと無線端末８の通信を受信し受信バッファ２ａに記憶する（Ｔ４１４）。無線装置１ｂは受信バッファ２ｂのデータを通信サーバ６に転送し、通信サーバ６は受信したデータを受信データ記憶メモリ１０に記憶する（Ｔ４１５）。
【００２１】
このように、本発明の第１の実施の形態である通信方法を用いた無線システムにおいては、送信権レジスタ＝１の無線装置１は無線端末８から受信したデータを通信サーバ６に送り、送信権レジスタ＝０の無線装置１は無線端末８から受信したデータの内容を受信バッファ２に記憶して、受信エラーが発生した際に通信サーバ６に受信バッファ２のデータを送るようにしたところに特徴がある。なお、本実施例では、無線装置が受信エラーの有無を調べて通信サーバに報告するが、ここで、受信エラーの有無の代わりに、受信電力やＳＮ比など受信状態を示す特性を調べ、受信状態あるいは所定の受信状態を満たしているか否かを報告するようにしても良い。
本第１の実施の形態では送信権レジスタ５は１あるいは０を記憶し、無線装置１と無線端末８は１対１の無線通信を行っているが、無線端末８の数は限定されるものではない。例えば無線端末８の数が３個になった場合の構成を図１１に、この時の送信権レジスタ５の構成を図１２に示す。この時の送信権レジスタ５は３ビットの情報を持ち、１２０１は無線端末８ａの送信ビット、１２０２は無線端末８ｂの送信ビット、１２０３は無線端末８ｃの送信ビットである。例えば無線装置１ａの送信権レジスタ５の値が３、すなわち無線端末８ａ−ｂの送信ビットが「０１１」の場合、無線装置１ａは無線端末８ｂと無線端末８ｃとは通信を行い、受信したデータを通信端末に転送し、無線端末８ａの通信は受信して受信バッファ２に保存する。
【００２２】
また本第１の実施の形態では受信エラーが一度でも発生すると送信権を切り替えているが、何度か受信すれば受信エラーを回避できるような無線状態にある場合、無線装置１内で受信エラー回数をカウントし、一定回数以上になったら送信権を切り替えるようにする。
【００２３】
図５は本発明による通信方法を用いた第２の実施形態である無線システムを示す図である。図５において、５０は無線装置１と無線端末８間で無線通信を行った際に得られる無線端末８の受信電力値を記憶する受信電力レジスタ、５１は各無線装置１から集めた受信電力レジスタの値を記憶する受信電力記憶回路である。
【００２４】
図６は無線装置１の受信動作を示す図である。例えば無線端末８のデータを受信し、通信サーバ６にデータを転送する場合（Ｓ６０１）、無線装置１は送信権レジスタ５を参照し（Ｓ６０２）、送信権レジスタ＝１の時は受信バッファ２を参照し通信サーバ６に転送されていない保留データがあるか調べる（Ｓ６０３）。保留データがあった場合は通信サーバ６にデータを転送し（Ｓ６０９）、無線端末８にレスポンスとしてデータを送信する（Ｓ６１０）。通信サーバ６に転送されていない保留データが無い場合は（Ｓ６０３）、無線端末８からのデータを受信する（Ｓ６０４）。受信したデータにエラーがない場合は（Ｓ６０５）、通信サーバ６にデータを転送し（Ｓ６０９）、無線端末８にレスポンスとしてデータを送信する（Ｓ６１０）。受信したデータにエラーがある場合は（Ｓ６０５）、通信サーバ６にエラーを報告し（Ｓ６０６）、受信したデータを破棄する（Ｓ６１１）。送信権レジスタ＝０の場合は（Ｓ６０２）、無線端末のデータを受信する（Ｓ６０７）。受信したデータにエラーがある場合は（Ｓ６０８）、データを破棄する（Ｓ６１１）。受信したデータにエラーがない場合は（Ｓ６０８）、受信バッファ２に受信したデータを記憶する（Ｓ６１２）。その後無線装置１は無線端末８との通信時に得た受信電力値を受信電力レジスタ５０に保持し（Ｓ６１３）、通信サーバ６から受信終了指示があるか確認し、無い場合は再び受信を開始する（Ｓ６１４）。通信サーバ６から受信終了指示がある場合は受信を終了する（Ｓ６１５）。
【００２５】
図７は受信電力値測定動作を示す図である。通信装置１は一定間隔で無線装置１と無線端末８間の受信電力値を通信サーバ６に送信している。例えば一定間隔で無線装置１に受信電力送信割り込みが発生すると（Ｓ７０１）、無線装置１は受信電力レジスタ５０の値を通信サーバ６に送信し（Ｓ７０２）、通信サーバ６は受信した値を受信電力記憶回路５１に記憶する（Ｓ７０３）。
【００２６】
図８は無線装置１から通信サーバ６に送信されるデータの構造を示す図である。８００は無線装置１から通信サーバ６に送信される受信電力パケット。８０１は無線装置１と通信サーバ６間で通信を行う際に使用するヘッダ。８０２はヘッダ８０１の後ろに続く受信電力情報。８０３は通信サーバ６と通信を行っている無線装置１の無線装置番号。８０４は無線措置１が無線通信した無線端末８の無線端末番号。８０５は無線装置番号８０３が示す無線装置１と無線端末番号８０４が示す無線端末８との間の受信電力である。受信電力記憶回路５１には無線装置番号８０３と無線端末番号８０４と受信電力８０５が記憶される。
【００２７】
図９は通信サーバ６の受信動作を示す図である。例えば通信サーバ６が無線端末８のデータを受信する場合（Ｓ９０１）、通信サーバ６は無線端末８と通信可能な無線装置１ａと無線装置１ｂと無線装置１ｃの送信権レジスタ５を設定する（Ｓ９０２）。この時通信サーバ６はどれか１つ、たとえば無線装置１ａの送信権レジスタ５のみを１に設定し、さらに通信サーバ６は無線装置１ａと無線装置１ｂと無線装置１ｃに無線端末８との通信を指示する（Ｓ９０３）。無線装置１ａと無線装置１ｂと無線装置１ｃは図６に則った動作を開始する。通信サーバ６は無線装置１ａから発生するデータ転送要求の割込を監視する（Ｓ９０４）。割込が発生した場合、通信サーバ６は受信エラーをチェックし（Ｓ９０５）、受信エラーがある場合は送信権レジスタ＝１の無線装置１ａの送信権レジスタを０にして無線装置１ａの送信権を解除し（Ｓ９０７）、あらかじめ各無線装置から受信電力の報告を受けて受信電力記憶回路５１に記憶されている受信電力が、送信権レジスタ＝１だった無線装置１ａを除く各無線装置１のうちで大きな受信電力値を持つ無線装置、たとえば無線装置１ｂの送信権レジスタを１に設定する（Ｓ９０８）。その後再び無線装置１ｂからの割込を監視する。受信エラーがない場合は無線端末８のデータを受信データ記憶メモリ１０に記憶し（Ｓ９０６）、通信サーバ６が更に受信をしたければ再び無線装置１ａからの割込を監視する。受信を終了したければ無線装置１ａと無線装置１ｂと無線装置１ｃに受信終了を指示する（Ｓ９１０）。
【００２８】
図１０は無線システムの通信手順を説明する図である。例えば通信サーバ６が無線装置１ａと無線装置１ｂと無線装置１ｃを用いて無線端末８からデータを受信する場合、通信サーバ６は無線装置１ａの送信権レジスタ５ａを１にし、無線装置１ｂの送信権レジスタ５ｂを０にし、無線装置１ｃの送信権レジスタ５ｃを０にして受信を開始する（Ｔ１０００）。無線装置１ａは無線端末８と通信を行い（Ｔ１００２）、データを受信バッファ２ａに記憶する（Ｔ１００２）。この時無線装置１ｂは無線装置１ａと無線端末８の通信を受信し受信バッファ２ｂに記憶し（Ｔ１００３）、無線装置１ｃは無線装置１ａと無線端末８の通信を受信し受信バッファ２ｃに記憶する（Ｔ１００４）。無線装置１ａは受信バッファ２ａのデータを通信サーバ６に転送し、通信サーバ６は受信したデータを受信データ記憶メモリ１０に記憶する（Ｔ１００５）。続けて無線装置１ａは無線端末８と通信を行い（Ｔ１００６）、データを受信バッファ２ａに記憶する（Ｔ１００７）。この時無線装置１ｂは無線装置１ａと無線端末８の通信を受信し受信バッファ２ｂに記憶し（Ｔ１００８）、無線装置１ｃは無線装置１ａと無線端末８の通信を受信し受信バッファ２ｃに記憶する（Ｔ１００９）。無線装置１ａは受信バッファ２ａのデータにエラーがあることを検出し通信サーバ６に受信エラーが発生したことを報告する（Ｔ１０１０）。通信サーバ６は受信エラーを確認し、無線装置１ａの送信権レジスタ５ａを０にし、受信電力記憶回路５１に記憶されている無線装置１ｂと無線端末８間の受信電力値と無線装置１ｃと無線端末８間の受信電力値とを比較して一番大きな受信電力値を持つ無線装置１ｃの送信権レジスタ５ｃを１に設定する（Ｓ１０１１）。無線装置１ｃは次のデータを受信する前に送信権レジスタ５ｃが１になったことを検出し、受信バッファ２ｃに記憶しているデータを通信サーバ６に転送する（Ｔ１０１２）。無線装置１ｃは無線端末８と通信を行い（Ｔ１０１３）、データを受信バッファ２ｂに記憶する（Ｔ１０１４）。この時無線装置１ａは無線装置１ｃと無線端末８の通信を受信し受信バッファ２ａに記憶し（Ｔ１０１５）、無線装置１ｂは無線装置１ｃと無線端末８の通信を受信し受信バッファ２ｂに記憶する（Ｔ１０１６）。無線装置１ｃは受信バッファ２ｃのデータを通信サーバ６に転送し、通信サーバ６は受信したデータを受信データ記憶メモリ１０に記憶する（Ｔ１０１７）。
【００２９】
このように、本発明の第２の実施の形態である通信方法を用いた無線システムにおいては、送信権レジスタ＝１の無線装置１は無線端末８から受信したデータを通信サーバ６に送り、送信権レジスタ＝０の無線装置１は無線端末８から受信したデータの内容を受信バッファ２に記憶し、受信エラーが発生した際に、送信権レジスタ＝１だった無線装置１の送信権レジスタを０に設定し、受信電力記憶回路５１に記憶されている各無線装置１と無線端末８の受信電力のうち一番多くな受信電力を持つ無線装置１の受信バッファ２の内容を通信サーバ６に送り、かつ受信電力記憶回路５１に記憶されている各無線装置１と無線端末８の受信電力のうち一番大きな受信電力を持つ無線装置１の送信権レジスタを１に設定するようにしたところに特徴がある。
【００３０】
本第２の実施の形態では、送信権レジスタ５の変更に、受信電力記憶回路５１に記憶されている各無線装置１と無線端末８の受信電力のうち一番大きな受信電力を持つ無線装置１の送信権レジスタ５を１に設定するようにしているが、比較する対象は受信電力に限定される物ではない。例えば比較する対象として各無線装置１と無線端末８のＳ／Ｎ比を用いる場合、受信電力レジスタ５０にはＳ／Ｎ比が保持され、受信電力記憶回路５１には各無線装置１と無線端末８のＳ／Ｎ比が記憶されて、受信エラーが発生した際に、送信権レジスタ＝１だった無線装置１の送信権レジスタを０に設定し、受信電力記憶回路５１に記憶されている各無線装置１と無線端末８のＳ／Ｎ比のうち一番大きなＳ／Ｎ比を持つ無線装置１の受信バッファ２の内容を通信サーバ６に送る。
【００３１】
本第１の実施の形態および本第２の実施の形態では、送信権レジスタ＝１の無線装置１のみが無線端末８から受信したデータを通信サーバ６に送っているが、全ての無線装置１が受信したデータを通信サーバ６に送り、通信サーバにてエラー判定を行なって複数の受信データから適切なものを選択し、あわせて、送信権レジスタの変更を指示することもできる。この場合ネットワーク７に大量の受信データが送られるため、ネットワーク７の通信トラフィックが増大するが、受信エラー発生時の送信権レジスタ５の切替がスムーズに行われる。
【００３２】
【発明の効果】
本発明では、無線装置１内に送信権レジスタ５を設け、送信権レジスタ＝１の時は無線端末８と通信を行って受信データを通信サーバ６に送信し、送信権レジスタ＝０の時は他の無線装置１と無線端末８の通信を受信して受信バッファに記憶することにより無線端末８と無線装置１間の無線通信回線を容易にかつ無線端末８の回路規模やサイズ、消費電力を増やすことなく多重化できるという効果がある。
【００３３】
更に本発明では、無線装置１が無線端末８との通信や受信時に測定した受信電力値やＳ／Ｎ比などを受信電力レジスタ５０に記憶して通信サーバ６に定期的に送信し、通信サーバ６も受信電力値やＳ／Ｎ比などを各無線装置１毎に受信電力記憶回路５１に記憶しているため、無線端末８と無線装置１間の無線通信状態が悪化した場合、受信電力記憶回路５１を参照してすぐに受信電力やＳ／Ｎ比の大きい他の無線装置１に切り替えて通信遮断を防ぐことができるという効果がある。
【図面の簡単な説明】
【図１】第１の実施形態である無線システムを示す図。
【図２】第１の実施形態である無線装置１の受信動作を説明する図。
【図３】第１の実施形態である通信サーバ６の受信動作を説明する図。
【図４】第１の実施形態である無線システムの通信手順を説明する図。
【図５】第２の実施形態である無線システムを示す図。
【図６】第２の実施形態である無線装置１の受信動作を説明する図。
【図７】受信電力値測定動作を説明する図。
【図８】無線装置１から通信サーバ６に送信されるデータの構造を説明する図。
【図９】第２の実施形態である通信サーバ６の受信動作を説明する図。
【図１０】第２の実施形態である無線システムの通信手順を説明する図。
【図１１】無線端末８の数が３個になった時の構成を示す図。
【図１２】無線端末８の数が３個になった時の送信権レジスタ５の構造を説明する図。
【符号の説明】
１…無線装置、２…受信バッファ、５…送信権レジスタ、６…通信サーバ、７…ネットワーク、８…無線端末、１０…受信データ記憶メモリ、１１…送信権決定部、５０…受信電力レジスタ、５１…受信電力記憶回路、８００…受信電力パケット、８０１…ヘッダ、８０２…受信電力情報、８０３…無線装置番号、８０４…無線端末番号、８０５…受信電力、１２０１…無線端末８ａの送信ビット、１２０２…無線端末８ｂの送信ビット、１２０３…無線端末８ｃの送信ビット。
【図１】
2004349753.tif 000003
【図２】
2004349753.tif 000004
【図３】
2004349753.tif 000005
【図４】
2004349753.tif 000006
【図５】
2004349753.tif 000007
【図６】
2004349753.tif 000008
【図７】
2004349753.tif 000009
【図８】
2004349753.tif 000010
【図９】
2004349753.tif 000011
【図１０】
2004349753.tif 000012
【図１１】
2004349753.tif 000013
【図１２】
2004349753.tif 000014